(57)【要約】【課題】  従来の歯ブラシにおいて、一部の薬効を除いて、その機能のほとんどは、ブラシで擦りとる、または擦り落とすことを主体にしており、又頭髪の抜け毛や、ハゲ対策には、毎日洗髪を行いシャンプー剤で最低２度洗いをすることによって頭部の皮脂や細菌を洗い流す方法が良いとされているが、いずれにしても歯磨剤、シャンプー剤には、悪臭物質や細菌類、油脂などの有機物質を分解するような機能や作用は具備していない。【解決手段】  本発明は、ブラシを清浄に保持すると共に、口腔内のブラシング、及び頭皮のブラシングにおいても光触媒による有機物の分解効果を得ようとするものである。そのために、ブラシ部分に光触媒効果を有する物質を付加すると共に、ブラシ部分にＵＶ−Ａを照射するようにしたものである。【選択図】  図１
2006167396.tif 000002
【特許請求の範囲】
【請求項１】
光触媒ブラシのブラシ部分及び外気に触れる柄全体に光触媒効果を有する物質を付加すると共に、ブラシ部分に光を照射する手段と、光照射手段に対して通電と遮断を切り替える手段とを備えたことを特長とする光触媒ブラシ。
【発明の詳細な説明】
【技術分野】
【０００１】  本発明は、光触媒によって、雑菌、悪臭、油脂類、などの有機物質分解機能を有する光触媒ブラシに関する。
【背景技術】
【０００２】  歯ブラシは、機能的には、歯の表面に付着した主として有機物をこすり落とすための衛生用具である。また、有機物と同時に、歯の表面に沈着した歯垢等を、研磨剤の作用で削り落とす機能も併せ持っている。これらの機能の大部分を担っているのが、歯ブラシに付着させて歯に適用する歯磨剤である。この歯磨剤も、中に含まれる研磨剤粒子の大きさや、虫歯予防効果を期待したフッ素系物質、歯槽膿漏の原因である歯周病菌の抑制効果を狙った薬品、使用後の爽快さを狙った各種香料など、さまざまな機能を特徴として多数市販されている。【０００３】  歯磨剤の機能と共に、歯ブラシの形態も変化しており、最も一般的な手動式歯ブラシをはじめとして、電動式、超音波式など、駆動方式の改良がなされている。また、主として電動式では駆動部分の耐久性を考慮して、歯ブラシの、ブラシ部分を取替えできるようにしたものや、手動式などではブラシの太さに工夫を凝らしたもの、ブラシ全体の大きさに工夫を凝らしたものなど、形状の改良もなされている。【０００４】  前記従来技術において、一部の薬効を除いて、その機能のほとんどは、ブラシで擦りとる、または擦り落とすことを主体にしており、細菌や悪臭物質などの有機物質を分解するような機能や作用は具備していない。先行技術（特開２００４−４１２７８）においては、ブラシに二酸化チタンを付加して、使用後から次の使用時までの間に、ブラシを光触媒効果で清浄に保つ提案がなされている。【特許文献１】特開２００４−４１２７８号公報４頁３７行
【発明の開示】
【発明が解決しようとする課題】
【０００５】  かかる従来技術に鑑み、ブラシを清浄に保持すると共に、使用中の口腔内及び人体の頭皮においても光触媒による分解効果を得ようとするものである。
【課題を解決するための手段】
【０００６】  そのために本発明では、ブラシ部分に光触媒効果を有する物質を付加すると共に、ブラシ部分に光を照射する手段と、光照射手段に対して通電と遮断を切り替える手段とを備えたものである。
【発明の効果】
【０００７】  上記のように構成した物を、歯ブラシ、またはヘアブラシに使用するものである。歯ブラシとして使用した場合、本発明では、通常の歯磨行為において、口腔内の歯ブラシで触れる部位が光触媒作用によって、口臭、油脂、食物残渣、細菌類が分解されて清浄になり、歯磨剤を使わなくても十分な歯磨効果を得ることができるものである。【０００８】  又頭髪の抜け毛やハゲの原因は、頭部の汗と同時に、頭皮に分泌した皮脂が毛穴に詰まり、頭皮の毛根の血行が悪くなって、雑菌が繁殖することによるものだが、この光触媒ブラシを、ヘアブラシとして使用した場合、光触媒作用によって、頭皮の皮脂や雑菌を分解し、清浄な地肌となって、毛根の血行が良くなり、抜け毛やハゲから解消される。このブラシの使用後はブラシへの通電を遮断した状態であっても、太陽光や蛍光灯の光線が届く程度の環境で保管すれば、光触媒ブラシを清浄な状態で維持できる。
【発明を実施するための最良の方法】
【０００９】  一般的には、ブラシに酸化チタン化合物等の、触媒効果を有する物質を混錬して成形するか、もしくはブラシとして成形された後に物理的な方法で酸化チタン化合物等の光触媒効果を有する物質を被覆する方法が取り得る。物理的方法としては、イオン蒸着、スパッタリング、塗布などが適用可能である。また、光触媒ブラシ本体の先端部から柄全体の外面に、物理的な方法で、光触媒効果を有する物質を被覆することも可能である。光触媒については、近年の研究で、紫外線及び可視光領域で効果のある光触媒が販売され、効果的に適用されている。
【００１０】  発光手段としては、紫外線領域の光触媒の使用を考慮すれば、発光ダイオードなどの小型発光手段が効果的である。光触媒ブラシ本体の先端でブラシが植毛されている部分の下部に発光ダイオードを埋設し、光触媒ブラシの柄の部分に配設した乾電池等の電源手段との間を導線で連結することによって、目的を達成しうる。別の構成としては、光触媒ブラシの柄の部分に電源手段と発光手段を内蔵させ、発光手段から光触媒ブラシの先端部まで光ファイバーなどの光伝送手段を用いて伝送することも可能である。
【実施例】
【００１１】  以下、図１を実施例に基づいて本発明をさらに詳細に説明する。図において、１はブラシであって、光触媒ブラシ２０の先端部２１の２植毛部に植毛されている。３は発光手段である発光ダイオードであって先端部２１内のブラシと干渉しない位置に内蔵されている。５は電源手段の乾電池であり、光触媒ブラシ２０の柄２２に内蔵されるように配設されている。発光ダイオードと乾電池５とはスイッチ４および導線８を介して連結されている。乾電池と発光ダイオードとの間の適宜位置に配置された抵抗器６である、又植毛部２は取り外し可能で、歯ブラシやヘアブラシに交換できる。【００１２】  以上の構成の、光触媒ブラシのスイッチをＯＮにして、発光ダイオード２個を発光させ、ブラシ１の上部をＵＶライトメータＵＶ−３４０．ｋｋカスタム社で紫外線量を測定した決果、５４μＷ測定され、光触媒効果が十分に働くが、発光ダイオードを増すことにより更に強力な触媒効果が得られる。【００１３】  図示されない構造としては、乾電池の収納部と外部との水分を遮断する封止構造や、スイッチ部分の封止構造があるが、従来使用されている通常の封止構造が使用され得る。また、乾電池の収容構造についても、従来使用されている通常の構造が使用される。【００１４】    従来の電動歯ブラシにおいては、柄の部分と先端のブラシ部分とが分離着脱可能に構成されているものがあるが、この場合、先端部に乾電池から電気を供給するための導線が必要であるので、この導線の連結と連結部位における封止構造が必要である。【００１５】  さらに別の実施例としては、従来の電動歯ブラシに本発明の機能を付加することも可能であり、電動の電源部分と光触媒の電源とを共有できるため、光触媒のための発光ダイオードと、導線と抵抗器を追加すれば容易に可能である。
【図面の簡単な説明】
【図１】本発明の実施例を示す光触媒ブラシの歯ブラシの側面図
【図２】取り替え用の、ヘアブラシの側面図
【符号の説明】
１ブラシ  ２植毛部                ８導線  ３発光ダイオード        ２０光触媒ブラシ  ４スイッチ              ２１先端部  ５乾電池                ２２柄  ６抵抗器                ２３植毛部
【図１】
2006167396.tif 000003
【図２】
2006167396.tif 000004